(57)【要約】      （修正有）【課題】潤滑油が各部材の間の隙間から漏れるのを防止し、一定時間の使用毎に潤滑油を再添加させずともよく、作業員の作業が快適になる衝撃ツール用ハンマーセットを提供する。【解決手段】回転部２、ハンマー部３、駆動軸４、及び封止用結合部材５を備える。回転部は収納空間を包囲し且つ周壁、周壁の二端に連結される２つの端壁、及び収納空間中に位置する枢軸部を含む。周壁には収納空間に連通される２つの開口部が貫設され、端壁には軸孔が貫設され、他の端壁には衝撃ツールの回転軸に連結されるための結合部が設けられる。ハンマー部は収納空間に内設され、ハンマー部には貫通孔及び枢軸部に枢設される枢設部が設けられ、枢軸部のみを軸心として偏向して擺動する。駆動軸は軸孔及び貫通孔に穿設されると共に回転部に回転自在に設けられ、ハンマー部により間歇的に衝撃を受け駆動される。封止用結合部材は回転部に設けられ外嵌部材５１により２つの開口部を密封し、封止用部材５２により軸孔の孔壁と駆動軸との間を密封する。【選択図】図１
0003192451.tif 000002
【実用新案登録請求の範囲】
【請求項１】
収納空間を包囲させ、周壁、前記周壁に対応する二端に連結される２つの端壁、及び前記収納空間中に位置される少なくとも１つの枢軸部で構成され、前記周壁には前記収納空間に連通すると共に対応し合う２つの開口部が貫設され、前記端壁には軸孔が貫設され、他の端壁には衝撃ツールの回転軸に連結されるための結合部が設けられる回転部と、
前記収納空間に内設され、各々には貫通孔及び前記枢軸部に枢設される枢設部が設けられ、且つ各々は各前記枢軸部のみを軸心として偏向して擺動する少なくとも１つのハンマー部と、
前記軸孔及び各前記貫通孔に穿設されると共に前記回転部に回転自在に設けられ、各前記ハンマー部により間歇的に衝撃を受け駆動される駆動軸と、
前記回転部に設置され、前記２つの開口部が少なくとも密封され、前記軸孔の孔壁と前記駆動軸との間に密封される封止用結合部材を備えることを特徴とする衝撃ツール用ハンマーセット。
【請求項２】
前記枢軸部は前記収納空間の凸部に軸方向に延出され、前記枢設部の形状は前記凸部に対応する凹部であることを特徴とする、請求項１に記載の衝撃ツール用ハンマーセット。
【請求項３】
前記端壁には孔部が貫設され、前記枢軸部はピン部材であり、前記ピン部材は前記孔部を貫通させると共に前記凹部に枢設され、前記孔部には更にふた部材が覆設されることを特徴とする、請求項２に記載の衝撃ツール用ハンマーセット。
【請求項４】
前記結合部は前記他の端壁に貫設されると共に前記回転軸に軸継手されるキー溝であり、前記封止用結合部材は更に前記他の端壁と前記駆動軸との間に密封されることを特徴とする、請求項１に記載の衝撃ツール用ハンマーセット。
【請求項５】
前記封止用結合部材は外嵌部材及び少なくとも２つの封止用部材を備え、前記外嵌部材は前記周壁の外に覆設される筒状本体及び前記筒状本体の一端に連結される端板を含み、前記端板には前記結合部に対応する開口部が開設され、前記少なくとも２つの封止用部材は前記筒状本体と前記２つの端壁の周面との間にそれぞれ密封されることを特徴とする、請求項１に記載の衝撃ツール用ハンマーセット。
【請求項６】
前記端壁には孔部が貫設され、前記枢軸部はピン部材であり、前記ピン部材前記孔部を貫通させると共に前記凹部に枢設され、前記孔部にはさらにふた部材が覆設され、前記ふた部材は前記端壁と前記端板との間に挟装されることを特徴とする、請求項５に記載の衝撃ツール用ハンマーセット。
【請求項７】
前記封止用結合部材は外嵌部材及び封止用部材を備え、前記外嵌部材は前記周壁の外に貼着される筒状本体を含み、前記封止用部材は前記軸孔の孔壁と前記駆動軸との間に密封されることを特徴とする、請求項１に記載の衝撃ツール用ハンマーセット。
【請求項８】
前記筒状本体は弾性変形部材であることを特徴とする、請求項７に記載の衝撃ツール用ハンマーセット。
【請求項９】
前記筒状本体は前記回転部に連結され一体となるプラスチック部材或いはゴム部材であることを特徴とする、請求項７に記載の衝撃ツール用ハンマーセット。
【考案の詳細な説明】
【技術分野】
【０００１】
本考案は、衝撃ツール用ハンマーセットに関する。
【背景技術】
【０００２】
従来の回転式衝撃ツールは多くが電動モーター或いは空気モーターにより衝撃ツール用ハンマーセットを連動させて回転させている。衝撃ツール用ハンマーセットはハンマー部及びハンマーフレーム等の衝撃力を与える機構を有し、更に衝撃ツール用ハンマーセットの前端からは衝撃効果を有する回転力が提供される。衝撃ツール用ハンマーセットは鞘によりハンマー部の一側に挿設され、またハンマー部の他側にはハンマーフレームに当接される位置限定部を有し、ハンマー部は擺動するがハンマー部の擺動範囲は制限され、ハンマー部の動作は有効的に制御される。最後に駆動軸はハンマー部による衝撃力を有効利用する。またハンマー部と駆動軸との間の摩擦により部材が損壊するのを防ぐため、衝撃ツール用ハンマーセットには大量の潤滑油が添加され、衝撃ツール用ハンマーセットの耐用年数を延長させる。ＴＷＭ３７９４９６及びＴＷ２６１０３９等の特許案には上述の種類のツールが記載されている。
【考案の概要】
【考案が解決しようとする課題】
【０００３】
しかしながら、前述した従来の衝撃ツール用ハンマーセットでは、内部の流体を密封させる部材が未設置であり、このため潤滑油が各部材の間の隙間から漏れ、一定時間使用する毎に潤滑油を再添加させねばならず、作業員が定期的に潤滑油を添加するのを忘れ、衝撃ツール用ハンマーセットの使用効率が低下して衝撃ツール用ハンマーセットが損壊するといった問題があった。このほか、潤滑油の添加は冗長で繊細であり、作業員の作業が不便であるため、改善すべき欠点があると言えた。
【０００４】
そこで、本考案者は上記の欠点が改善可能と考え、鋭意検討を重ねた結果、合理的設計で上記の課題を効果的に改善する本考案の衝撃ツール用ハンマーセットの提案に到った。
【０００５】
本考案は、このような従来の問題に鑑みてなされたものである。上記課題解決のため、本考案は、衝撃ツール用ハンマーセットを提供することを主目的とする。即ち、潤滑油が各部材の間の隙間から漏れるのを防止し、一定時間の使用毎に潤滑油を再添加させずともよく、作業員の作業が快適になる。
【課題を解決するための手段】
【０００６】
上述した課題を解決し、目的を達成するために、本考案に係る衝撃ツール用ハンマーセットは、
収納空間を包囲させ、周壁、前記周壁に対応する二端に連結される２つの端壁、及び前記収納空間中に位置される少なくとも１つの枢軸部で構成され、前記周壁には前記収納空間に連通すると共に対応し合う２つの開口部が貫設され、前記端壁には軸孔が貫設され、他の端壁には衝撃ツールの回転軸に連結されるための結合部が設けられる回転部と、
前記収納空間に内設され、各々には貫通孔及び前記枢軸部に枢設される枢設部が設けられ、且つ各々は各前記枢軸部のみを軸心として偏向して擺動する少なくとも１つのハンマー部と、
前記軸孔及び各前記貫通孔に穿設されると共に前記回転部に回転自在に設けられ、各前記ハンマー部により間歇的に衝撃を受け駆動される駆動軸と、
前記回転部に設置され、前記２つの開口部が少なくとも密封され、前記軸孔の孔壁と前記駆動軸との間に密封される封止用結合部材を備えることを特徴とする。
【考案の効果】
【０００７】
本考案によれば、潤滑油が各部材の間の隙間から漏れないよう有効的に防止され、一定時間使用する毎に潤滑油を再添加させずともよく、作業員の作業が快適になる。
【図面の簡単な説明】
【０００８】
【図１】本考案の一実施形態に係る衝撃ツール用ハンマーセットを示す概略図である。
【図２】本考案の一実施形態に係る衝撃ツール用ハンマーセットを示す展開図である。
【図３】本考案の一実施形態に係る衝撃ツール用ハンマーセットを示す断面図である。
【図４】本考案の他の実施形態に係る衝撃ツール用ハンマーセットを示す概略図である。
【図５】本考案の他の実施形態に係る衝撃ツール用ハンマーセットを示す概略図である。
【図６】本考案の他の実施形態に係る衝撃ツール用ハンマーセットを示す展開図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
以下、一実施形態を図１〜３に基づいて説明する。本考案の実施形態に係る衝撃ツール用ハンマーセット１は回転部２、少なくとも１つのハンマー部３、駆動軸４、及び封止用結合部材５を備える。
【００１１】
前記回転部２は収納空間２１を包囲させると共に周壁２２、前記周壁２２の対応し合う二端に連結される２つの端壁２３１と端壁２３２、及び前記収納空間２１中に位置される少なくとも１つの枢軸部２４を備える。本実施形態では前記枢軸部２４の数量は２つであり、前記周壁２２には前記収納空間２１に連通されると共に対応し合う２つの開口部２５が貫設され、前記端壁２３１には軸孔２６が貫設され、他の前記端壁２３２には衝撃ツールの回転軸に連結される結合部２７が設けられ、前記結合部２７は前記他の端壁２３２に貫設されると共に前記回転軸に軸継手されるキー溝２７１である。各前記枢軸部２４は前記収納空間２１に軸方向に延出される凸部であり、明確に言えば他の前記端壁２３２には前記枢軸部２４の数量に対応させて少なくとも１つの孔部２８が貫設され、各前記枢軸部２４はピン部材２９が各前記孔部２８に貫入されることで形成される前記凸部である。
【００１２】
この好ましい実施形態では、前記ハンマー部３の数量は２つであり、他の実施形態による前記ハンマー部３の数量は１つである（図４参照）。各前記ハンマー部３は前記収納空間２１に内設され、各前記ハンマー部３には貫通孔３１及び各前記枢軸部２４に枢設される枢設部３２が設けられ、前記枢設部３２は前記凸部の形状に対応する凹部であり、各前記ピン部材２９は各前記孔部２８を貫通させると共に前記凹部に枢設され、位置限定溝３３は各前記ハンマー部３の前記枢設部３２とは異なる一側に位置されると共に各前記ピン部材２９に位置限定される。これにより各前記ハンマー部３は各前記枢軸部２４のみを軸心として偏向して擺動される。説明が必要な点は、他の実施形態では、各前記ピン部材２９と各前記ハンマー部３とは一体成型されて前記収納空間２１内に枢設され、明確に言えば各前記ハンマー部３の前記凹部は前記収納空間２１の前記凸部に位置調整され、各前記ハンマー部は前記枢軸部２４を中心として偏向して擺動される。
【００１３】
なお、前記駆動軸４には前記軸孔２６及び各前記貫通孔３１が穿設されると共に前記回転部２に回転自在に設けられ、各前記ハンマー部３から間歇的に衝撃を受けて駆動される。詳細には、前記衝撃ツール用ハンマーセット１は前記衝撃ツールに連結され、前記回転軸が回転すると前記回転部２が連動されて回転し、前記回転部２の内部に位置されて連動される各前記ハンマー部３により前記駆動軸４に衝撃が与えられ、これにより前記駆動軸４は衝撃力を有する回転効果を発生させて部材の着脱に応用される。
【００１４】
また、前記封止用結合部材５は前記回転部２に設けられると共に前記２つの開口部２５を少なくとも密封させ、且つ前記軸孔２６の孔壁と前記駆動軸４との間に密封される。更に説明すると、前記封止用結合部材５は外嵌部材５１及び少なくとも２つの封止用部材５２を備え、本実施形態では前記封止用部材５２の数量は４つである。具体的には、前記外嵌部材５１は前記周壁２２の外に覆設される筒状本体５１１及び前記筒状本体５１１の一端に連結される端板５１２を備え、２つの前記封止用部材５２は筒状本体５１１と前記２つの端壁２３１及び端壁２３２の周面との間にそれぞれ密封され、１つの前記封止用部材５２は前記軸孔２６の孔壁と前記駆動軸４との間に密封され、また１つの前記封止用部材５２は他の前記端壁２３２の前記キー溝２７１と前記駆動軸４との間に密封され、潤滑油が前記軸孔２６及び前記キー溝２７１から漏れるのを防ぐ。理解できることは、本実施形態に係る前記軸孔２６の孔壁と前記駆動軸４との間に位置される前記封止用部材５２、及び前記キー溝２７１と前記駆動軸４との間に位置される前記封止用部材５２は前記回転部２に設置され、他の実施形態に係る２つの前記封止用部材５２は前記駆動軸４に設置され、密封効果を達成させる点である。詳細には、前記端板５１２には前記結合部２７に対応する開口部５１３が開設され、前記回転軸は前記開口部５１３により前記結合部２７に軸継手され、２つの前記封止用部材５２は前記筒状本体５１１と前記２つの端壁２３１及び端壁２３２の周面との間に設置されると共に前記２つの開口部２５を密封させ、潤滑油が前記２つの開口部２５から漏れるのを防ぐ。各前記孔部２８には更にふた部材２８１が覆設され、各前記ふた部材２８１は他の前記端壁２３２と前記端板５１２との間に挟装され、各前記ふた部材２８１は各前記孔部２８を塞ぎ潤滑油が各前記孔部２８から漏れるのを防ぐ。理解できるように、本実施形態に係る前記端板５１２により各前記ふた部材２８１が他の前記端壁２３２と前記端板５１２の間に緊密に挟装され、他の実施形態の外嵌部材５１´は前記端板(図５参照)を有せず、各前記ふた部材２８１は潤滑油が各前記孔部２８から漏れるのを防ぐ。以上から分かるように、他の実施形態では前記外嵌部材５１の前記筒状本体５１１は弾性変形部材であり、例えば前記筒状本体５１１は一体で連結されるプラスチック部材或いはゴム部材であり、故に前記封止用結合部材５は前記筒状本体５１１と前記２つの端壁２３１及び端壁２３２の周面との間に設置される２つの前記封止用部材５２を有せずとも、潤滑油が前記２つの開口部２５から漏れるのを防止可能である。
【００１５】
さらに、図６を参照しながら本考案の他の実施形態を説明する。当然ながら、本考案の他の実施形態では各前記ふた部材２８１が覆設されず、各前記ピン部材２９の各前記孔部２８に近接する一端の周面には環形凹型溝が直接設けられ、各前記環形凹型溝にはワッシャー２９１が覆設され、これら前記ワッシャー２９１により各前記ピン部材２９と前記他の端壁２３２との間には好ましい密封性を有する。説明が必要な点は、他の実施形態に係る前記端壁２３１にもこれら前記孔部２８が貫設され、これにより各前記ピン部材２９は着脱時に前記端壁２３１或いは他の前記端壁２３２の各前記孔部２８に貫入されるか取り出され、操作が快適になる。
総合すれば、本考案の衝撃ツール用ハンマーセットは封止用結合部材を有し、潤滑油が各部材の間の隙間から漏れるのを有効的に防止させる。このため一定時間使用する毎に潤滑油を再添加させる必要がなく、作業員の作業が捗る。
【００１６】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１７】
１    衝撃ツール用ハンマーセット
２    回転部
３    ハンマー部
４    駆動軸
５    封止用結合部材
２１    収納空間
２２    周壁
２３１    端壁
２８    孔部
２８１    ふた部材
２９    ピン部材
２９１    ワッシャー
３１    貫通孔
３２    枢設部
３３    位置限定溝
２３２    端壁
２４    枢軸部
２５    開口部
２６    軸孔
２７    結合部
２７１    キー溝
５１    外嵌部材
５１‘    外嵌部材
５１１    筒状本体
５１２    端板
５１３    開口部
５２    封止用部材
【図１】
0003192451.tif 000003
【図２】
0003192451.tif 000004
【図３】
0003192451.tif 000005
【図４】
0003192451.tif 000006
【図５】
0003192451.tif 000007
【図６】
0003192451.tif 000008